(57)【要約】【課題】全体冷却（加熱）とゾーン冷却（加熱）とを個別に行うことが可能で、全体冷却（加熱）時およびゾーン冷却（加熱）時に自動的に商品を販売適温に冷却（加熱）することが可能な自動販売機を提供する。【解決手段】本体キャビネット１の商品収納庫内にスラントラックを備えた自動販売機であって、庫内下部ファンＦ１により送風される庫内空気を本体キャビネット１の背壁１ｃに案内し、かつ、その板面の中央領域から下方領域にかけて通気孔を有する上部ダクト部材７ｂと、この上部ダクト部材７ｂを介して上昇した冷気若しくは暖気を下方に向けて送風する庫内上部ファンＦ２とを設け、全体冷却（加熱）する際には庫内下部ファンＦ１を定格回転数となる態様で駆動する一方、庫内上部ファンを駆動停止し、ゾーン冷却（加熱）する際には庫内下部ファンＦ１を定格回転数より低い所定の低速回転数となる態様で駆動する一方、庫内上部ファンＦ２を定格回転となるよう駆動して各段の商品収納棚に収納した商品を温度差なく販売適温に冷却（加熱）する。【選択図】図１
2019008621.tif 000002
【特許請求の範囲】
【請求項１】
断熱筐体として構築された本体キャビネットの商品収納庫内に、複数の商品を横倒し姿勢で前後方向に一列に整列して収納する商品収納通路を画成する商品収納棚が上下方向に複数段配設された商品収納ラックと前下がりに傾斜した商品搬出シュータと前記商品収納通路に収納された商品を販売に適した温度に冷却若しくは加熱する庫内下部ファンを有する冷却／加熱手段とが上下の順に配備され、前記商品収納棚は、商品投入口となる前方側に対し商品搬出口となる後方側が低くなるように傾斜するとともに商品搬出口近傍には商品収納通路に横倒し姿勢で収納された商品を一個ずつ切り出して搬出する商品搬出装置が設けられ、前記商品収納棚の後端と本体キャビネットの背壁との間に上下方向に延在する商品落下通路が形成され、前記商品搬出装置から搬出された商品が前記商品落下通路を介して商品搬出シュータ上に送出されてなる自動販売機において、前記商品落下通路に本体キャビネットの背壁に沿って上下方向に延在する態様で配設され、前記庫内下部ファンにより送風される冷却／加熱手段により冷却された冷気若しくは加熱された暖気を上昇させる態様で案内し、その板面の中央領域から下方領域にかけて通気孔を有するダクト部材を設け、最上段の商品収納棚の後端上方に位置して前記ダクト部材を介して上昇した冷気若しくは暖気を前記商品落下通路を介して下方に向けて送風する庫内上部ファンを設け、全体冷却若しくは全体加熱する際には庫内下部ファンを定格回転数となる態様で駆動する一方、庫内上部ファンを駆動停止し、ゾーン冷却若しくはゾーン加熱する際には庫内下部ファンを定格回転数より低い所定の低速回転数となる態様で駆動する一方、庫内上部ファンを定格回転となるよう駆動することを特徴とする自動販売機。
【請求項２】
請求項１に記載の自動販売機において、請求項１に記載の自動販売機において、庫内下部ファンの定格回転数より低い所定の低速回転数は、定格回転数の４０％〜６０％であることを特徴とする自動販売機。
【請求項３】
請求項１に記載の自動販売機において、庫内上部ファンは商品収納ラックに一体的に取付けられていることを特徴とする自動販売機。
【請求項４】
請求項１に記載の自動販売機において、ダクト部材は下部ダクト部材と上部ダクド部材からなり、上部ダクト部材は商品収納ラックに一体的に取付けられていることを特徴とする自動販売機。
【請求項５】
請求項１に記載の自動販売機において、庫内上部ファンの上方側に位置して庫内上部ファンと間隔を存する態様で商品収納ラックに一体的に取付けられ、ダクト部材を介して上昇する冷気若しくは暖気が本体キャビネットの上壁に直接接触するのを防止する遮蔽部材を有することを特徴とする自動販売機。
【発明の詳細な説明】
【技術分野】
【０００１】
この発明は、断熱筐体として構築された本体キャビネットの商品収納庫内に、複数の商品を横倒し姿勢で前後方向に一列に整列して収納する商品収納通路を画成する態様で商品投入口となる前方側に対し商品搬出口となる後方側が低くなるように傾斜した商品収納棚が上下方向に複数段配設された商品収納ラックを備え、前記商品収納棚における商品搬出口の近傍に配設された商品搬出装置により前記商品収納通路に収納された商品を一個ずつ搬出する自動販売機に関する。
【背景技術】
【０００２】
この種の自動販売機は、断熱筐体として構築された本体キャビネットの商品収納庫内に、複数の商品を横倒し姿勢で前後方向に一列に整列して収納する商品収納通路を画成する商品収納棚が上下方向に複数段配設された商品収納ラック（スラントラックとも称する）を備えている。前記商品収納ラックに上下多段に配設された商品収納棚は、商品投入口となる前方側に対し商品搬出口となる後方側が低くなるように所定の勾配をもって傾斜して配されている。商品収納棚における商品搬出口近傍には商品収納通路に横倒し姿勢で収納された商品を一個ずつ切り出して搬出する商品搬出装置が設けられている。前記商品収納棚の後端と本体キャビネットの背壁との間には上下方向に延在する商品落下通路が形成されている。商品落下通路には、当該商品落下通路に突出する突出位置と、落下する商品により押し開かれて商品落下通路から退避する退避位置との間を回動する姿勢制御板が配備され、この姿勢制御板はコイルばねにより商品落下通路に向けて突出するように付勢されており、商品落下通路を落下する商品により押し開かれて商品落下通路から退避する際、当該商品の姿勢を横倒し姿勢に矯正するとともに当該商品の落下エネルギーを吸収してその落下速度を低減させる。
【０００３】
商品収納庫内に配設された商品収納ラックの下部には、前下がり傾斜するとともにその板面の全面に複数の通気孔が穿設された商品搬出シュータおよび前記商品収納通路に収納された商品を販売に適した温度に冷却若しくは加熱するファン付き冷却／加熱ユニットが装備されている。また、本体キャビネットの背壁に沿って上下方向に配設されたダクト部材が設けられている。これにより、ファン付き冷却／加熱ユニットで冷却された冷気若しくは加熱された暖気（これらを総称して庫内空気ともいう）がファンの駆動によりダクト部材を介して商品収納庫内に吹き出されて商品収納庫内を下降したうえで商品搬出シュータの通気孔を経由してファンに戻るように循環し、商品収納庫内を下降する過程で商品収納ラックに収納した商品を販売適温に冷却若しくは加熱するように構成されている。そして、商品収納ラックに収納した商品が販売適温に冷却若しくは加熱されると販売可能状態となり、本体キャビネットの前面開口に開閉自在に取付けられた外扉に設けた商品選択ボタンが押圧操作されると対応する商品収納棚に設けられた商品搬出装置が動作して商品収納通路に収納された商品が一個切り出される。商品搬出装置により切り出された商品は、商品落下通路を落下する過程で姿勢制御板により姿勢を矯正されると同時に落下速度が低減されたうえで商品搬出シュータ上に落下した後、当該商品搬出シュータ上を転動若しくは滑動して商品取出口に送出されるように構成されている（例えば、特許文献１）。
【０００４】
かかる特許文献１に開示された発明においては、冷却／加熱ユニットに付属するファンの駆動によって送風される庫内空気を、ダクト部材を介して商品収納庫内に吹き出したうえで商品搬出シュータの通気孔を経由してファンに戻るように循環させることにより商品収納ラックに収納した商品を販売適温に冷却若しくは加熱し、商品収納ラックに収納した商品の全てを販売適温に冷却若しくは加熱（全体冷却若しくは全体加熱ともいう）し、商品収納ラックに収納した全ての商品を販売適温に冷却若しくは加熱した後保冷運転若しくは保温運転に移行するように構成されている。この特許文献１に開示された発明においては、保冷運転若しくは保温運転に移行した際、販売適温に冷却若しくは加熱された商品収納ラックに収納した全ての商品が熱源となって庫内空気の保冷若しくは保温状態を助長するので、保冷運転若しくは保温運転の長大化を図ることができる一方、商品収納ラックに収納した全ての商品を販売適温に冷却若しくは加熱するまでに時間を要し、それまでの期間中は商品の販売が出来ないことから販売機会を逸するという問題を有する。
【０００５】
かかる販売機会の喪失を解決する手段として、前記ダクト部材を仕切としてダクト部材の背面側を庫内空気の往路とし、ダクト部材の前面側を庫内空気の復路とし、また、ダクト部材の上下方向の複数個所に吐出口を設け、冷却／加熱ユニットからの庫内空気を前記往路と復路を介して循環させつつ往路を上昇する庫内空気を吐出口から復路に吐出させることにより、商品収納棚（商品収納通路）の後端寄りのゾーンに収納された商品（つまり、販売順位の早い商品）のみを冷却若しくは加熱（ゾーン冷却若しくはゾーン加熱ともいう）するものが知られている（例えば、特許文献２）。なお、特許文献２に開示された発明においては、ダクト部材の上下方向の複数個所に設けた吐出口の近傍に、往路を上昇する庫内空気を復路側に吐出させる風量・風向を調整するために手動調整される風量調整手段が取付けられている。
【先行技術文献】
【特許文献】
【０００６】
【特許文献１】特開平１０−２８３５５６号公報（従来の技術０００２段落，０００３段落および図５）
【特許文献２】特開２００５−４４２９３号公報（００６６段落〜００７２段落および図９〜図１２）
【発明の概要】
【発明が解決しようとする課題】
【０００７】
かかる特許文献２に開示された発明によれば、商品収納ラックに収納された商品の全体、すなわち、各段の商品収納棚に画成された商品収納通路に収納された商品の全てを販売適温に冷却若しくは加熱する場合に対して、商品収納棚（商品収納通路）の後端寄りのゾーンに収納された商品のみを冷却若しくは加熱すればよいので、熱エネルギーの大容量化を回避できる点で優れている。しかしながら、商品収納棚（商品収納通路）の後端寄りのゾーンに収納された商品のみを冷却若しくは加熱する機種に限定され、また、ダクト部材の上下方向の複数個所に設けた吐出口から往路を上昇する庫内空気を復路側に吐出させる風量・風向を任意に調整するために前記吐出口の近傍に配設された風量調整手段を配設し、この風量調整手段を手動調整せねばならないことから手間がかかるという課題を有するものである。
【０００８】
本発明は上記の点に鑑みなされたものであり、その目的は前記課題を解決し、全体冷却若しくは全体加熱とゾーン冷却若しくはゾーン加熱とを個別に行うことが可能で、全体冷却時若しくは全体加熱時およびゾーン冷却時若しくはゾーン加熱時に自動的に商品を販売適温に冷却若しくは加熱することが可能な自動販売機を提供することにある。
【課題を解決するための手段】
【０００９】
発明者らは上記課題、特に、ダクト部材の上下方向の複数個所に吐出口の近傍に配設された風量調整手段を手動調整するような手間を省き、かつ、ゾーン冷却若しくはゾーン加熱に限らずに全体冷却若しくは全体加熱を可能とする、という課題を解決するため種々検討した結果、ダクト部材の上下方向の複数個所に吐出口の近傍に配設された風量調整手段を削除した場合、当該ファンを定格回転数で駆動するとダクト部材を上昇する庫内空気の直進性により吐出口から復路側に吐出する吐出量が激減して各段の商品収納棚（商品収納通路）の後端寄りのゾーンに収納された商品に温度差が生じる一方、前記ファンを定格回転数より低い所定の回転数となるように駆動制御するとダクト部材を上昇する庫内空気の直進性が失われて吐出口からの吐出量が増大し、また、前記ファンを定格回転数より低い所定の回転数以下で駆動制御すると各段の商品収納棚（商品収納通路）の後端寄りのゾーンに収納された商品を販売適温に冷却若しくは加熱するまでに長時間を要することを見出した。この場合、ダクト部材に吐出口を上下方向の複数個所に設けても上段側の商品収納棚（商品収納通路）の後端寄りのゾーンに収納された商品の温度とその他の段の商品収納棚（商品収納通路）の後端寄りのゾーンに収納された商品の温度との温度差が大きく、特に、上段側の商品収納棚（商品収納通路）の後端寄りのゾーンに収納された商品が販売適温から外れることを実験により確認した。そこで、冷却／加熱ユニットに付属するファンの駆動制御を適宜に可変とし、かつ、ダクト部材を介して上昇した庫内空気を、商品落下通路を介して下方に向けて送風する庫内上部ファンを追加装備するとともにダクト部材に設けた吐出口の位置を工夫し、ゾーン冷却若しくはゾーン加熱の際には下段側から上段側のそれぞれの商品収納棚（商品収納通路）の後端寄りのゾーンに収納された商品に温度差が生じることなく自動的に冷却若しくは加熱することが可能で、全体冷却若しくは全体加熱の際には商品収納ラックに収納された全ての商品に温度差が生じることなく自動的に万遍なく冷却若しくは加熱可能な次の発明に至ったものである。
【００１０】
上記目的を達成するために請求項１に係る発明は、断熱筐体として構築された本体キャビネットの商品収納庫内に、複数の商品を横倒し姿勢で前後方向に一列に整列して収納する商品収納通路を画成する商品収納棚が上下方向に複数段配設された商品収納ラックと前下がりに傾斜した商品搬出シュータと前記商品収納通路に収納された商品を販売に適した温度に冷却若しくは加熱する庫内下部ファンを有する冷却／加熱手段とが上下の順に配備され、前記商品収納棚は、商品投入口となる前方側に対し商品搬出口となる後方側が低くなるように傾斜するとともに商品搬出口近傍には商品収納通路に横倒し姿勢で収納された商品を一個ずつ切り出して搬出する商品搬出装置が設けられ、前記商品収納棚の後端と本体キャビネットの背壁との間に上下方向に延在する商品落下通路が形成され、前記商品搬出装置から搬出された商品が前記商品落下通路を介して商品搬出シュータ上に送出されてなる自動販売機において、前記商品落下通路に本体キャビネットの背壁に沿って上下方向に延在する態様で配設され、前記庫内下部ファンにより送風される冷却／加熱手段により冷却された冷気若しくは加熱された暖気を上昇させる態様で案内し、その板面の中央領域から下方領域にかけて通気孔を有するダクト部材を設け、最上段の商品収納棚の後端上方に位置して前記ダクト部材を介して上昇した冷気若しくは暖気を前記商品落下通路を介して下方に向けて送風する庫内上部ファンを設け、全体冷却若しくは全体加熱する際には庫内下部ファンを定格回転数となる態様で駆動する一方、庫内上部ファンを駆動停止し、ゾーン冷却若しくはゾーン加熱する際には庫内下部ファンを定格回転数より低い所定の低速回転数で駆動する一方、庫内上部ファンを定格回転となるよう駆動することを特徴とする。
【００１１】
また、請求項２に係る発明は、請求項１に記載の自動販売機において、庫内下部ファンの定格回転数より低い所定の低速回転数は、定格回転数の４０％〜６０％であることを特徴とする。
【００１２】
また、請求項３に係る発明は、請求項１に記載の自動販売機において、庫内上部ファンは商品収納ラックに一体的に取付けられていることを特徴とする。
【００１３】
また、請求項４に係る発明は、請求項１に記載の自動販売機において、ダクト部材は下部ダクト部材と上部ダクド部材からなり、上部ダクト部材は商品収納ラックに一体的に取付けられていることを特徴とする。
【００１４】
また、請求項５に係る発明は、請求項１に記載の自動販売機において、庫内上部ファンの上方側に位置して庫内上部ファンと間隔を存する態様で商品収納ラックに一体的に取付けられ、ダクト部材を介して上昇する冷気若しくは暖気が本体キャビネットの上壁に直接接触するのを防止する遮蔽部材を有することを特徴とする。
【発明の効果】
【００１５】
本発明の請求項１に係る自動販売機によれば、断熱筐体として構築された本体キャビネットの商品収納庫内に、複数の商品を横倒し姿勢で前後方向に一列に整列して収納する商品収納通路を画成する商品収納棚が上下方向に複数段配設された商品収納ラックと前下がりに傾斜した商品搬出シュータと前記商品収納通路に収納された商品を販売に適した温度に冷却若しくは加熱する庫内下部ファンを有する冷却／加熱手段とが上下の順に配備され、前記商品収納棚は、商品投入口となる前方側に対し商品搬出口となる後方側が低くなるように傾斜するとともに商品搬出口近傍には商品収納通路に横倒し姿勢で収納された商品を一個ずつ切り出して搬出する商品搬出装置が設けられ、前記商品収納棚の後端と本体キャビネットの背壁との間に上下方向に延在する商品落下通路が形成され、前記商品搬出装置から搬出された商品が前記商品落下通路を介して商品搬出シュータ上に送出されてなる自動販売機において、前記商品落下通路に本体キャビネットの背壁に沿って上下方向に延在する態様で配設され、前記庫内下部ファンにより送風される冷却／加熱手段により冷却された冷気若しくは加熱された暖気を上昇させる態様で案内し、その板面の中央領域から下方領域にかけて通気孔を有するダクト部材を設け、最上段の商品収納棚の後端上方に位置して前記ダクト部材を介して上昇した冷気若しくは暖気を前記商品落下通路を介して下方に向けて送風する庫内上部ファンを設け、全体冷却若しくは全体加熱する際には庫内下部ファンを定格回転数となる態様で駆動する一方、庫内上部ファンを駆動停止し、ゾーン冷却若しくはゾーン加熱する際には庫内下部ファンを定格回転数より低い所定の低速回転数となる態様で駆動する一方、庫内上部ファンを定格回転数となる態様で駆動することにより、全体冷却若しくは全体加熱する際には定格回転数となる態様で駆動される庫内下部ファンによりダクト部材内を略直進して上昇した庫内空気が、庫内上部ファンの停止により庫内上部ファンにより下方に送風されることなく商品収納庫の前方（商品収納棚の商品収納通路に収納された商品の前端側）に流れて商品収納ラックに収納された全ての商品を温度差なく販売適温に自動的に冷却若しくは加熱し、ゾーン冷却若しくはゾーン加熱する際には定格回転数より低い所定の低速回転数となる態様で駆動される庫内下部ファンによりダクト部材内を上昇する庫内空気の直進性が失われ、これによりダクト部材内を上昇する庫内空気の一部が当該ダクト部材に穿設した通気孔から庫内側に流入して上下方向に複数段配設された商品収納棚のうちの中段以下の商品収納棚（商品収納通路）の後端寄りのゾーンに収納された商品を冷却若しくは加熱する一方、ダクト部材の上端まで上昇した庫内空気が庫内上部ファンにより商品落下通路の下方に向けて送風されることにより上下方向に複数段配設された商品収納棚のうちの上段側の商品収納棚（商品収納通路）の後端寄りのゾーンに収納された商品を冷却若しくは加熱し、上段側から下段側の商品収納棚の（商品収納通路）の後端寄りのゾーンに収納された商品を温度差なく販売適温に自動的に集中して冷却若しくは加熱することが可能な自動販売機を提供することができるという効果を奏する。
【図面の簡単な説明】
【００１６】
【図１】本発明が対象とする自動販売機の概略側面図である。
【図２】図１の商品収納ラックを右斜め上方から見た斜視図である。
【図３】図１の商品収納棚を仕切部材とともに示す斜視図である。
【図４】図１の庫内上部ファンと取付部材の分解図である。
【図５】図１の上部ダクト部材と遮蔽部材の分解図である。
【図６】図１の冷却／加熱ユニットと商品搬出シュータを右斜め上方から見た斜視図である。
【図７】ダクトを示し、（ａ）はダクトの斜視図、（ｂ）は商品搬出シュータを保持するコイルスプリングを取付けたダクトの斜視図である。
【図８】ダクトと冷却／加熱ユニットの風洞との接続状態を示し、（ａ）はダクトに風洞を接続した状態の斜視図、（ｂ）はダクトと風洞とを分解した状態の斜視図である。
【図９】商品収納ラックに収納された販売順位の早い商品（商品収納棚の後端寄りのゾーンに収納された商品）を集中して冷却若しくは加熱する際の商品収納庫内を循環する庫内空気（冷気若しくは暖気）の流れを示す説明図である。
【図１０】商品収納ラックに収納された全体の商品を冷却若しくは加熱する際の商品収納庫内を循環する庫内空気（冷気若しくは暖気）の流れを示す説明図である。
【発明を実施するための形態】
【００１７】
以下、本発明の実施の形態に係る自動販売機を図面に基づいて詳細に説明する。図１は本発明が対象とする自動販売機の一例である缶入り飲料，ペットボトル入り飲料を販売する自動販売機の概略側面図、図２は図１の商品収納ラック４を右斜め上方から俯瞰した斜視図である。なお、左右とは、自動販売機の前面から見た場合の左右を指すものである。
【００１８】
図１に示すように、この自動販売機は、前面が開放した断熱筐体として形成された本体キャビネット１と、本体キャビネット１の前面開口を閉塞する態様で本体キャビネット１の前面に開閉可能に支持された外扉２とを備え、この外扉２には商品取出口２ａが設けられている。本体キャビネット１は鋼板製の外箱の内側、すなわち、上壁１ａ，左右側壁１ｂ，背壁１ｃおよび底壁１ｄにウレタンフォームからなる断熱パネルを配設して断熱筐体として構築され、上壁１ａ，左右側壁１ｂ，背壁１ｃおよび底壁１ｄに配設された断熱パネルで囲まれた空間が商品収納庫として形成され、商品収納庫の下部が機械室８として形成されている。本体キャビネット１における商品収納庫の前面は開閉可能な断熱内扉３によって閉塞され、この断熱内扉３には商品収納庫内から送出される商品によって押し開かれるフラッパ３ｂを有する商品搬出開口３ａが設けられている。前記本体キャビネット１の断熱パネルで囲まれた商品収納庫内には上下方向に多段に配設された商品収納棚１０を有する商品収納ラック４が、左右方向に複数収納設置されている。商品収納ラック４は、矩形平板状の薄板鋼板製になる左右一対のラック側板４１，４１を備えており、この左右一対のラック側板４１に商品収納棚１０が架設される。
【００１９】
商品収納棚１０は、商品投入口４４となる前方側が高く、商品搬出口４５となる後方側が低くなるように所定の勾配をもって傾斜する態様で左右一対のラック側板４１，４１に架設されている。商品収納棚１０と左右のラック側板４１、若しくは必要に応じて商品収納棚１０にセットされる仕切部材４２（図２，図３参照）に囲まれた内部空間が複数の商品を横倒し姿勢で前後方向に一列に整列して収容する商品収納通路４３（商品コラム）として画成され、この商品収納通路４３（商品コラム）が上下多段（この実施の形態では１０個の商品コラム）に形成されている。前記商品収納棚１０の商品搬出口４５の近傍であって各商品収納通路４３の上部、この実施の形態においては上段側の商品収納棚１０の下面に当該商品収納通路４３に収容された商品Ｓを一個ずつ切り出して搬出する商品搬出装置ＢＭが配設されている。商品搬出装置ＢＭは、例えば、特開２０１２−１３７９４９号公報等に開示された周知のものであり、商品収納通路４３に出没自在であって販売順位一番の商品（最後端の商品であり、販売商品ともいう）を保持する態様で商品収納通路４３に突出する突出位置と前記販売商品の保持を解放する態様で商品収納通路４３から退避する退避位置との間を移動可能に設けたペダル部材ＢＭ１、商品収納通路４３に出没自在であって商品収納通路４３から退避する退避位置と販売商品に続く販売順位二番の商品（最後端の商品に続く商品であり、次販売商品ともいう）を保持する態様で商品収納通路４３に突出する突出位置との間を移動可能に設けたストッパ部材、前記ペダル部材ＢＭ１およびストッパ部材を突出位置と退避位置とに移動させるリンク機構、このリンク機構を駆動する駆動手段（ソレノイド，モータ）等の構成部材が薄い箱形の基板に取付けられ、販売待機時にペダル部材ＢＭ１が商品収納通路４３に突出して販売商品を保持し、ストッパ部材が商品収納通路４３から退避した状態にあり、販売指令に基づいて前記駆動手段を駆動することによりリンク機構を介してストッパ部材を商品収納通路４３に突出させて次販売商品を保持した上でペダル部材ＢＭ１を商品収納通路４３から退避させて販売商品を払い出すように構成されたものである。なお、最上段の商品収納通路４３に収納された商品を一個ずつ切り出す商品搬出装置ＢＭを取付けるために、最上段の商品収納通路４３の上方にダミーの商品収納棚１０からなるメック係止部材１００が左右一対のラック側板４１，４１に架設されている。
【００２０】
そして、メック係止部材１００の後端上方位置に庫内上部ファンＦ２が配備されている。メック係止部材１００の後端上方域は、メック係止部材１００が前方側に対して後方側が低くなるように所定の勾配をもって傾斜して配されることによりデッドスペースとなる部位であり、このデッドスペースを利用して庫内上部ファンＦ２が配備されている。庫内上部ファンＦ２は、後述する上部ダクト部材７ｂを介して上昇した庫内空気を下方に向けて送風するものであり、左右一対のラック側板４１，４１に架設されている。また、庫内上部ファンＦ２の上方側には当該庫内上部ファンＦ２と間隔を存する態様で遮蔽部材２００が設けられている。この遮蔽部材２００も、左右一対のラック側板４１，４１に架設されている。この遮蔽部材２００は、その後端部が上部ダクト部材７ｂの上端開口を臨む態様で配設され、前記上部ダクト部材７ｂを介して上昇した庫内空気が本体キャビネット１の上壁１ａに直接接触するのを防止するように構成されている。この遮蔽部材２００を設けることにより、特に、商品を冷却する際に前記上部ダクト部材７ｂを介して上昇した庫内空気（冷気）が本体キャビネット１の上壁１ａに直接接触して庫内と庫外の温度差により庫内（上壁１ａ）に結露が生じるのを防止できるものである。
【００２１】
前記各商品収納ラック４に上下多段に配設された商品収納棚１０の後端（商品搬出口４５）は同一の鉛直線上に位置しており、前記商品搬出口４５と上部ダクト部材７ｂとの間が商品Ｓの落下する商品落下通路４６として形成されている。そして、各商品収納棚１０の後端部には、前記商品落下通路４６に突出する突出位置と、落下する商品Ｓにより押し開かれて商品落下通路４６から退避する退避位置との間を回動する姿勢制御板４７が配備されている。この姿勢制御板４７は、不図示のコイルばねにより商品落下通路４６に向けて突出するように付勢されており、商品落下通路４６を落下する商品Ｓにより押し開かれて商品落下通路４６から退避する際、当該商品Ｓの姿勢を横倒し姿勢に矯正するとともに当該商品Ｓの落下エネルギーを吸収してその落下速度を低減させる機能を有している。姿勢制御板４７の板面には複数の通気孔４７ａ（図３参照）が穿設されている。
【００２２】
商品収納ラック４の下部には、商品落下通路４６の下方域と断熱内扉３に設けた商品搬出開口３ａとを連繋する態様で前下がりの姿勢に傾斜して配されるとともにその板面に複数の通気孔５ａ（図６参照）が穿孔された商品搬出シュータ５と、商品収納ラック４に収納した商品Ｓを冷却若しくは加熱してコールド若しくはホット状態に保存する冷却／加熱ユニット６が配設され、商品収納庫内に商品収納ラック４と商品搬出シュータ５と冷却／加熱ユニット６とが上下の順に配備されている。前記冷却／加熱ユニット６が商品収納通路４３に収納された商品Ｓを販売に適した温度に冷却若しくは加熱する冷却／加熱手段を構成する。
【００２３】
冷却／加熱ユニット６は、前下がりの姿勢に傾斜して配された商品搬出シュータ５の背後の空間に配設されている。冷却／加熱ユニット６は、蒸発器６ａとヒータ６ｂと庫内下部ファンＦ１とが、前方側から蒸発器６ａ，庫内下部ファンＦ１，ヒータ６ｂの順に前後方向に並置されている。前記庫内下部ファンＦ１は、ファン駆動用モータを電圧制御，ＰＷＭ制御することにより回転数を可変可能なものである。前記蒸発器６ａ，庫内下部ファンＦ１，ヒータ６ｂは、それぞれを囲繞して保護する風洞内に配されており、ヒータ６ｂの風洞に連ねてスペーサー用の風洞６０が設けられている。前記蒸発器６ａ，庫内下部ファンＦ１，ヒータ６ｂにおけるそれぞれの風洞と風洞６０は全体としてトンネル状に連続したものであり、以下では風洞６０を蒸発器６ａ，庫内下部ファンＦ１，ヒータ６ｂにおけるそれぞれの風洞を代表するもの、すなわち、冷却／加熱ユニット６の風洞６０と称するものとする。そして、この冷却／加熱ユニット６の風洞６０に連ねて下部ダクト部材７ａが設けられている。この下部ダクト部材７ａは、商品落下通路４６の下方域まで延在する態様で商品収納庫背面（本体キャビネット１の背壁１ｃ）に沿って配設され、風洞６０の出口に対峙する入口側開口７４（図７参照）と商品落下通路４６の下方域に連通する出口側開口７８（図７参照）を備えている。この下部ダクト部材７ａの出口側開口７８に連通して上部ダクト部材７ｂが配設される。
【００２４】
さらに、本体キャビネット１の下部の機械室８には、冷却／加熱ユニット６の蒸発器６ａと冷凍サイクルを形成する冷凍機コンデンシングユニット９が配設されている。冷凍機コンデンシングユニット９は、圧縮機９ａ，凝縮器９ｂ，庫外ファン９ｃ，膨張弁（不図示）などからなり、商品収納庫外に配された凝縮器９ｂと商品収納庫内に配された蒸発器６ａとが膨張弁を介して冷媒配管により接続されている。
【００２５】
なお、外扉２の前面には、図示は省略するが、商品コラムに対応した複数の商品見本を展示した商品展示室、購入する商品Ｓを指定する商品選択ボタン、代価としての硬貨を投入する硬貨投入口、代価としての紙幣を挿入する紙幣挿入口、釣銭硬貨若しくは返却指令により返却される硬貨を取り出すための硬貨返却口、釣銭若しくは投入硬貨の返却を指示する返却レバーなど、貨幣の投入により商品Ｓの自動販売に必要な部品が配設され、さらに、外扉２を本体キャビネット１に閉止鎖錠する扉ロック機構のハンドルなどが設けられている。
【００２６】
前記商品収納ラック４は、商品収納棚１０が架設される左右一対のラック側板４１，４１を備えている。この左右のラック側板４１，４１は、図２に示すように、矩形平板状の薄板鋼板製になる。この左右一対のラック側板４１，４１に商品収納棚１０が上下方向に多段に架設されている。この左右一対のラック側板４１，４１の上端には、サーペンタイン式商品収納ラックと同様のラック側フック金具４０が前後に２個架設され、このラック側フック金具４０，４０を商品収納庫の天井に敷設された本体側フック金具（不図示）に係止固定することにより、商品収納ラック４が商品収納庫に収設されるものである。
【００２７】
前記商品収納棚１０には、図２に示すように、複数の仕切部材４２を必要に応じて装着可能に構成されている。これらの仕切部材４２は、複数の商品を横倒し姿勢で前後方向に一列に整列して収納する商品収納通路４３（商品コラム）を画成するものである。なお、商品収納通路４３（商品コラム）の左右方向の幅は、商品補充（ローディング）時の商品の投入を容易にする一方、商品収納棚１０の上を転動若しくは滑動する商品の姿勢（軸線）が前後方向に直角の姿勢から前後方向に一致する姿勢となるのを防止するため、商品の対角線の長さよりも若干小さい幅に定められており、商品収納通路４３（商品コラム）に収納された商品と仕切板４２（若しくはラック側板４１）との間には若干の隙間が形成されるものである。
【００２８】
前記商品収納棚１０は、図３に示すように、矩形の板面の左右側縁から下方に折り曲げられたフランジ１１，１１を形成して補強が図られている。商品収納棚１０の前端には中空円筒形状（カール状）に丸めて形成された中空状部１２が形成されている。フランジ１１，１１の前部には切欠きによりピン挿通部１１ａが形成され、また、フランジ１１の略中間部位および後端にも切欠きにより円弧状のピン係合部１１ｂ，１１ｃが形成されている。このフランジ１１，１１に設けたピン挿通部１１ａおよびピン係合部１１ｂ，１１ｃを、左右のラック側板４１，４１に架設されるピン部材Ｐ０〜Ｐ２（図２参照）に対峙させる態様で商品収納棚１０を配置することにより商品収納棚１０が左右のラック側板４１，４１に取付けられるように構成されている。
【００２９】
前記商品収納棚１０は、この実施の形態ではロングサイズの商品に対応する幅に定めた板面の幅方向中央より左側には、ショートサイズの３種の長さの商品に対応する前後方向に３連のスリット状の係合溝１４が穿設され、そのうちの右端の係合溝１４がロングサイズの商品の略半分の長さのハーフサイズの商品の対応している。これらの係合溝１４は仕切部材４２を係止固定するものであり、その幅が仕切部材４２の板厚よりも大きく形成されている。そして、商品収納棚１０の板面には複数の通気孔１０ａが穿孔されている。この通気孔１０ａは、商品収納棚１０の前後方向で穿孔比率が異なるように穿設されている。この実施の形態では、商品収納棚１０の前後方向の中間領域ＭＴにおける穿孔比率が最も高く、中間領域ＭＴを挟んだ前方領域ＦＴ，後方領域ＲＴの穿孔比率が小さくなるように構成されている。
【００３０】
仕切部材４２は、薄板鋼板製になり、前後方向に延在する態様で商品収納棚１０に装着されて商品収納通路４３を画成するものである。仕切部材４２は、図３に示すように、その下部に下方に突出する３連の爪４２１が形成され、これらの爪４２１は商品収納棚１０の板面に形成した前後方向に３連の係合溝１４にそれぞれ係合可能に構成されている。前記仕切部材４２のセットは、仕切部材４２の３連の爪４２１を対応する３連の係合溝１４に対峙させた後、仕切部材４２を下降させると、３連の爪４２１が対応する３連の係止溝１４に落ち込んで係合することによりセットされる。このように、仕切部材４２を商品収納棚１０にセット（例えば、ハーフサイズの商品に対応する箇所にセット）した場合、仕切部材４２の両側に２列のハーフサイズの商品の商品収納通路（商品コラム）が形成される一方、前記仕切部材４２を取り外した場合にはロングサイズの商品の商品収納通路４３（商品コラム）が形成される。このように、この商品収納ラック４は、長さの異なる種類の商品（ロングサイズの商品とショートサイズの商品）の販売に兼用されるものである。この場合、商品搬出装置ＢＭは、ハーフサイズの商品収納通路４３に対応してその商品搬出口４５の近傍に２個並設され、仕切部材４２がハーフサイズの商品に対応する箇所にセットされた場合には２個の商品搬出装置ＢＭを個別に制御し、ハーフサイズ以外の長さの商品に対応する箇所にセットされた場合には２個の商品搬出装置ＢＭを同期制御するように構成されている。また、姿勢制御板４７は、２個の商品搬出装置ＢＭに対応して左右方向に２個並設されている。
【００３１】
庫内上部ファンＦ２は、ボックス型ファンからなり、図４に示すように、薄板鋼板製の取付部材４１０に下方を向く態様で取付けられ、この取付部材４１０を介して左右一対のラック側板４１，４１に架設されている。取付部材４１０は、左右一対のラック側板４１，４１の間の幅に対応する基台４１１の略中央位置に開口４１２が設けられている。基台４１１の前後両端には折り曲げによりフランジが形成され、その左右両端には前後のフランジに跨るＬ字状の係合片４１３，４１４と、係合片４１３，４１４の間に配したフック状の係止片４１５（右端側には２個、左端側には１個）が外方に突出して形成されている。これらのＬ字状の係合片４１３，４１４に対応して左右一対のラック側板４１，４１にはＬ字状の係合片４１３，４１４の形状に一致した貫通孔ＯＰ１，ＯＰ２（図２参照）と、フック状の係止片４１５に対応して左右一対のラック側板４１，４１にはフック状の係止片４１５の形状に一致した貫通孔ＯＰ３（図２参照）が形成されている。庫内上部ファンＦ２は、取付部材４１０における基台４１１の開口４１２に位置を合せてねじ止め固定した後、取付部材４１０のＬ字状の係合片４１３，４１４およびフック状の係止片４１５を左右一対のラック側板４１，４１のそれぞれの貫通孔ＯＰ１〜ＯＰ３に差し込んだうえで左右一対のラック側板４１，４１から外方に突出したフック状の係止片４１５のフックをラック側板４１に係止することにより左右一対のラック側板４１，４１に取付けられる。
【００３２】
図５に示すように、前記庫内上部ファンＦ２の取付部材４１０の後方側のフランジには上部ダクト部材７ｂがねじ止めされている。上部ダクト部材７ｂは、上下方向に延在する横断面コ字形の薄板鋼板製になり、本体キャビネット１の背壁１ｃに沿う態様で左右一対のラック側板４１，４１に架設される。すなわち、上部ダクト部材７ｂの左右方向の幅は左右一対のラック側板４１，４１の幅に相当している。そして、コ字形の左右の脚片（フランジ）を左右一対のラック側板４１，４１にねじ止めし、その板面の上端を前記庫内上部ファンＦ２の取付部材４１０の後方側のフランジにねじ止めすることにより左右一対のラック側板４１，４１に架設される。また、上部ダクト部材７ｂの板面における上下方向の中央領域から下方領域にかけて複数の通気孔７０が分散して穿設されている。上部ダクト部材７ｂの板面における上下方向の中央領域は、上下方向に多段に配設された商品収納棚１０の略中段（この実施の形態では下から５段目の商品収納棚１０）に対応し、上下方向に多段に配設された商品収納棚１０のうちの中段以下の商品収納棚１０に対応して複数の通気孔７０が設けられている。前記通気孔７０は、図５の図外に拡大して示すようにその板面に穿孔された丸孔からなる。前記上部ダクト部材７ｂの板面の下端にはねじ挿通穴７１ａ，７１ａを有する係合片７１が段差を有する態様で設けられ、この係合片７１を後述の図７に示した下部ダクト部材７ａに係止固定させることにより上部ダクト部材７ｂが下部ダクト部材７ａの出口側開口７８に連通して庫内空気を案内する。前記係合片７１の下部ダクト部材７ａへの係止固定については後述する図７にて説明する。
【００３３】
図５には、庫内上部ファンＦ２の上方側に位置して庫内上部ファンＦ２と間隔を存する態様で配設され、前記上部ダクト部材７ｂを介して上昇した庫内空気が本体キャビネット１の上壁１ａに直接接触するのを防止する遮蔽部材２００を示している。この遮蔽部材２００は、左右一対のラック側板４１，４１の間の幅に略一致する幅を有する矩形平板状の薄板鋼板製になる。遮蔽部材２００の左右両端にはそれぞれ下方に延在する態様で折り曲げて形成された一対の取付片２０１が設けられている。これらの取付片２０１にはねじ穴が形成されている。この遮蔽部材２００は、左右一対のラック側板４１，４１の間に配設したうえで左右一対のラック側板４１，４１の外側からねじ込まれるねじ（不図示）を前記取付片２０１のねじ穴に螺合させることにより左右一対のラック側板４１，４１に架設される。なお、遮蔽部材２００の後端には下方に傾斜したガイド板２０２が一体的に設けられ、前記上部ダクト部材７ｂを介して上昇した庫内空気を前方側に案内するように構成されている。
【００３４】
商品収納ラック４の下部に配された商品搬出シュータ５と冷却／加熱ユニット６の風洞６０を図６に示している。図６は、冷却／加熱ユニット６の風洞６０の上に商品搬出シュータ５を配した状態の斜視図である。図６に示すように、商品搬出シュータ５は、そのシュータ面に複数の通気孔５ａが設けられている。この通気孔５ａは、商品搬出シュータ５の後段側を除いた中段および前段側に穿孔されている。商品搬出シュータ５の前端には「く」字状に屈曲したガイド片５１が形成されている。このガイド片５１における下方に延在する鉛直部５１１は、本体キャビネット１の前壁に沿うものであって、その板面にはねじ挿通穴５１１ａが形成されて本体キャビネット１の前壁にねじ止めされる。また、商品搬出シュータ５の後端には下方に延在する係止片５１２が形成され、この係止片５１２を下部ダクト部材７ａに係止する態様で配設されるとともに商品搬出シュータ５の後部側背面が下部ダクト部材７ａに取り付けたコイルスプリングＳＰにより保持されている。なお、図６では、次に示す下部ダクト部材７ａの前面壁７１に係止固定される上部ダクト部材７ｂについては割愛している。
【００３５】
下部ダクト部材７ａは、図７に示すように、横断面凹状に形成した薄板鋼板製になり、矩形平板状の前面壁７１と左右側壁７２，７２と背壁７３，７３とからなる。前面壁７１の略中央下部寄りには風洞６０の出口に連通する入口側開口７４が形成されるとともに前面壁７１の上方側の左右両端寄りの左右にはねじ穴７５，７５が形成され、これらのねじ穴７５の下方に上下一対のねじ穴７６，７６が形成されている。また、前記入口側開口７４の左右両端には風洞６０を係止するスリット状の係止溝７７，７８がそれぞれ形成されている。前面壁７１の上方側の左右両端寄りに形成した上下一対のねじ穴７６，７６には、図７の（ｂ）に示すように、「く」字状のばね固定片５０がねじ止めされる。ばね固定片５０にはコイルスプリングＳＰが係止されており、このコイルスプリングＳＰが前述した商品搬出シュータ５の後部側背面を保持しており、商品搬出シュータ５の後端側に落下する商品の衝撃を緩和するように構成されている。
【００３６】
この下部ダクト部材７ａは、その下端を本体キャビネット１の底壁１ｄに載置するとともに背壁７３，７３を両面テープ等の固着部材により本体キャビネット１の背壁１ｃに固着させる態様で配設され、下部ダクト部材７ａの前面壁７１と左右側壁７２，７３と本体キャビネット１の背壁１ｃで囲まれた空間が庫内空気の流れる通路となり、その上端が上部ダクト部材７ｂの下端に連通する出口側開口７８となる。図７には上部ダクト部材７ｂを一点鎖線で示しており、本体キャビネット１の背壁１ｃに沿って配設された下部ダクト部材７ａの前面壁７１に上部ダクト部材７ｂの下端に設けた係合片７１を重ね合わせたうえで当該係合片７１に形成したねじ挿通穴７１ａ，７１ａを介してねじＳＣを前記下部ダクト部材７ａの前面壁７１に形成したねじ穴７５，７５に螺合させることにより上部ダクト部材７ｂの下端が下部ダクト部材７ａに係止固定される。これにより、上部ダクト部材７ｂが下部ダクト部材７ａの出口側開口７８に連通する。
【００３７】
図８は、下部ダクト部材７ａと冷却／加熱ユニット６の風洞６０との接続状態を示すものであり、（ａ）は下部ダクト部材７ａに風洞６０を接続した状態を示し、（ｂ）は下部ダクト部材７ａと風洞６０とを分解した状態を示している。なお、図８では上部ダクト部材７ｂを割愛している。
【００３８】
風洞６０は、図８に示すように、下部ダクト部材７ａの入口側開口７４を囲う態様の大きさを有し、左右側壁６１の後縁には後方側に突出した係止片６１１，６１２を備えている。係止片６１１は、下部ダクト部材７ａの前面壁７１に形成したスリット状の係止溝７７に挿入される台形状の突起として形成されるとともにその板面に膨出部６１１ａが設けられている。係止片６１２は、下部ダクト部材７ａの前面壁７１に形成したスリット状の係止溝７８に挿入されるフック状の突起として形成されている。なお、係止片６１１，６１２の板厚は、下部ダクト部材７ａの前面壁７１に形成したスリット状の係止溝７７，７８の溝幅より小さく、係止片６１１に設けた膨出部６１１ａの高さは、係止片６１１の板厚と膨出部６１１ａの膨出量とが係止溝７７の溝幅よりも僅かに大きくなるように定められている。
【００３９】
風洞６０は、左右側壁６１に設けた係止片６１１，６１２を下部ダクト部材７ａの前面壁７１に形成したスリット状の係止溝７７，７８に差し込んだうえで下方にスライドさせることにより、係止片６１２のフックが下部ダクト部材７ａの前面壁７１の背面に係合して下部ダクト部材７ａと一体化される（図８の（ａ）参照）。なお、風洞６０の係止片６１１を下部ダクト部材７ａの係止溝７７に差し込む際、係止片６１１の膨出部６１１ａが係止溝７７を通過する際に抵抗となるとともに係止溝７７を通過した際にクリック感が得られるものである。
【００４０】
かかる構成の自動販売機は、図１に示す外扉２および断熱内扉３を開放して商品投入口４４から商品収納棚１０に画成された商品収納通路４３（商品コラム）に商品Ｓがローディングされる。商品収納通路４３（商品コラム）に最初にローディングされた商品は、商品収納通路４３に突出した商品搬出装置ＢＭのペダル部材ＢＭ１に保持されて販売順位一番の商品（販売商品ともいう）となり、次にローディングされる商品は、ペダル部材ＢＭ１により保持された販売商品の前方側に積み重ねられて次販売商品となり、引き続いてローディングされる商品は、次販売商品の前方に順次積み重ねられる。商品のローディング後、商品収納ラック４に収納した商品Ｓは冷却／加熱ユニット６により冷却若しくは加熱されて販売に適したコールド若しくはホット状態に保存されて販売可能な状態（販売待機状態）となる。
【００４１】
ここで、商品収納ラック４に収納した商品を冷却／加熱ユニット６により冷却若しくは加熱する際に商品収納庫内を循環する庫内空気（冷気若しくは暖気）の流れを図９、図１０を参照して説明する。図９はゾーン冷却若しくはゾーン加熱する際の循環気流の状態を示し、図１０は全体冷却若しくは全体加熱する際の循環気流の状態を示すものである。
【００４２】
なお、図示は省略したが、自動販売機の全体の制御を司る制御部を有するものであり、この主制御部には各種の実行プログラムを記憶したＲＯＭ，各種データを格納するＲＡＭ，各種入力信号により各種実行プログラムを実行するＣＰＵなどを備え、庫内下部ファンＦ１，庫内上部ファンＦ２はゾーン冷却若しくはゾーン加熱、全体冷却若しくは全体加熱するプログラムに従って駆動制御されるものである。
【００４３】
図９はゾーン冷却若しくはゾーン加熱する際の循環気流の状態を示し、この場合には冷却／加熱ユニット６の庫内下部ファンＦ１および庫内上部ファンＦ２を駆動させる。この場合、庫内下部ファンＦ１は定格回転数より低い所定の低速回転数となる態様（例えば、定格回転数の４０％〜６０％）で駆動制御させる一方、庫内上部ファンＦ２は定格回転数となる態様で駆動制御させる。庫内下部ファンＦ１が定格回転数より低い所定の低速回転数で駆動されると、庫内空気（冷却器６ａにより冷却された冷気若しくはヒータ６ｂにより加熱された暖気）が冷却／加熱ユニット６の風洞６０から下部ダクト部材７ａの入口側開口７４を介して下部ダクト部材７ａの内部に進入した後、下部ダクト部材７ａの出口側開口７８から上部ダクト部材７ｂの下端に吹き出される。ダクト部材７ａの出口側開口７８から上部ダクト部材７ｂの下端に吹き出されて上部ダクト部材７ｂを上昇する庫内空気の流速は、庫内下部ファンＦ１が定格回転数より低い所定の低速回転数で駆動されていることから比較的弱く（つまり、庫内下部ファンＦ１が定格回転数で駆動されている場合の流速よりも弱い）、上部ダクト部材７ｂに穿設した通気孔７０から循環気流Ａ１となって分流しつつ上部ダクト部材７ｂの上方（商品収納庫の上端）にまで達する循環気流Ａ０となる。上部ダクト部材７ｂの上端にまで達した循環気流Ａ０は庫内上部ファンＦ２が駆動されていることにより下方に折り返す態様で循環気流Ｂとなる。この循環気流Ｂは姿勢制御板７により循環気流Ｂ１に分流されつつ下方に向かう。循環気流Ａ１，Ｂ１は、庫内下部ファンＦ１の吸引により商品収納棚１０に穿孔した通気孔１０ａを介して循環気流Ａ２，Ｂ２に分流されつつ循環気流Ｃとなって商品搬出シュータ５の通気孔５ａを介して庫内下部ファンＦ１に戻るように循環する。前記循環気流Ａ１，Ａ２は上下方向に多段に配設された商品収納棚１０のうちの下から５段目以下の商品収納棚１０における商品収納通路４３（商品コラム）の後端寄りのゾーンに収納された商品を洗流して冷却若しくは加熱する一方、循環気流Ｂ１，Ｂ２は上下方向に多段に配設された商品収納棚１０のうちの上段側（下から６段目以降）の商品収納棚１０における商品収納通路４３（商品コラム）の後端寄りのゾーンに収納された商品を洗流して冷却若しくは加熱する。
【００４４】
ここで、商品収納棚１０に商品Ｓが載置されている場合、循環気流Ｃ，Ａ２，Ｂ２の流れ方向上流側から見た商品Ｓの投影箇所の通気孔１０ａは商品Ｓに塞がれるものの、商品Ｓの投影箇所の外側の隙間、つまり、商品収納通路４３（商品コラム）の幅が商品Ｓの長さよりも若干長く定められていることにより生じる商品と仕切板４２（若しくはラック側板４１）との間の隙間に対応する通気孔１０ａは開放されている。従って、商品収納棚１０に商品Ｓが載置されている場合にも循環気流Ｃ，Ａ２，Ｂ２が形成されるものである（商品Ｓを和風建築の障子に例えるならば、循環気流Ｄは隙間風に相当するものである）。このように、ゾーン冷却若しくはゾーン加熱する場合、庫内下部ファンＦ１を定格回転数より低い所定の低速回転数となる態様（例えば、定格回転数の４０％〜６０％）で駆動制御する一方、庫内上部ファンＦ２を定格回転数となる態様で駆動制御ことにより、各段の商品収納棚１０の商品収納通路４３の後端寄りのゾーンに収納された商品Ｓ（商品収納ラック４に収納された販売順位の早い商品Ｓ）を集中的に温度差なく販売に適した温度に冷却若しくは加熱することができる。
【００４５】
なお、庫内下部ファンＦ１を定格回転数より低い所定の低速回転数（例えば、定格回転数の４０％〜６０％）となる態様で駆動制御（庫内上部ファンＦ２は定格回転数で駆動制御）した場合に対し、庫内下部ファンＦ１を定格回転数の４０％以下で駆動制御した場合には、各段の商品収納棚１０の商品収納通路４３の後端寄りのゾーンに収納された商品Ｓを販売適温に冷却若しくは加熱するのに長い時間を要するとともに前記ゾーンにおける各段の商品Ｓに温度差が生じ、また、庫内下部ファンＦ１を定格回転数の６０％以上で駆動制御した場合には、各段の商品収納棚１０の商品収納通路４３の後端寄りのゾーンに収納された商品Ｓを販売適温に冷却若しくは加熱するまでの時間に大差はないものの各段の商品収納棚１０の商品収納通路４３の後端寄りのゾーンに収納された商品Ｓに温度差が生じることが発明者らの実験により確認されている。各段の商品収納棚１０の商品収納通路４３の後端寄りのゾーンに収納された商品Ｓを販売適温に冷却若しくは加熱するまでの時間に大差のないところの、庫内下部ファンＦ１を定格回転数の６０％以上で駆動制御した場合に前記ゾーンにおける各段の商品Ｓに温度差が生じる事由は十分には解析されていないものの、庫内下部ファンＦ１を定格回転数の６０％以上で駆動制御した場合には上部ダクト部材７ｂ内を上昇する庫内空気の流速が速くなって直進性を有するようになることから、上部ダクト部材７ｂに穿設した通気孔７０からの循環気流Ａ１が減少することによるものと考えられる。
【００４６】
図１０は全体冷却若しくは全体加熱する際の循環気流の状態を示し、この場合には、冷却／加熱ユニット６の庫内下部ファンＦ１を駆動させる一方、庫内上部ファンＦ２を駆動停止させる。この場合、庫内下部ファンＦ１は定格回転数で高速回転するように駆動制御される。庫内下部ファンＦ１が高速回転で駆動制御されることにより下部ダクト部材７ａを介して上部ダクト部材７ｂを上昇する庫内空気（循環気流Ａ０）の流速は直進性の強い速いものとなり、上部ダクト部材７ｂの内部から上部ダクト部材７の通気孔７０を通して商品収納庫内側へ吐出する分流（図９に示したような循環気流Ａ１に相当する分流）が低減する。このため、下部ダクト部材７ａの出口側開口７８から上部ダクト部材７ｂの下端に吹き出された庫内空気の殆どが上部ダクト部材７ｂの上端にまで達する。
【００４７】
上部ダクト部材７ｂの上端にまで達した循環気流Ａ０は、庫内上部ファンＦ２の上方側に位置して庫内上部ファンＦ２と間隔を存する態様で配設された遮蔽部材２００の後端に設けたガイド板２０２に吹き付けられる。このように、遮蔽部材２００により前記上部ダクト部材７ｂを介して上昇した循環気流Ａ０が本体キャビネット１の上壁１ａに直接接触するのを防止するように構成されているので、特に商品を冷却する際に前記上部ダクト部材７ｂを介して上昇した循環気流Ａ０（冷気）が本体キャビネット１の上壁１ａに直接接触して庫内と庫外の温度差により上壁１ａに結露が生じるのを防止することができる。
【００４８】
ここで、遮蔽部材２００のガイド板２０２は下方に傾斜する態様で設けられていることにより、前記上部ダクト部材７ｂを介して上昇した循環気流Ａ０はガイド板２０２を経由して遮蔽板２００によって前方に案内される循環気流Ｄとなる。循環気流Ｅは、商品収納庫の前方まで到達して商品収納棚１０の商品収納通路４３（商品コラム）の前端寄りに収納された商品を洗流して冷却若しくは加熱したうえで商品収納庫内を下降した後、商品搬出シュータ５の通気孔５ａを介して庫内下部ファンＦ１に戻る。このように、庫内下部ファンＦ１の駆動により商品収納庫内の空気が商品搬出シュータ５の通気孔５ａを介して庫内下部ファンＦ１に吸引されることから、庫内下部ファンＦ１の吸引によって遮蔽板２００によって前方に案内される循環気流Ｄも商品収納棚１０に穿孔した通気孔１０ａを介して少しずつ商品収納庫内を下方に向かう循環気流Ｄ１に分流して商品収納庫内を下降する過程で商品収納棚１０の商品収納通路４３（商品コラム）に収納された全ての商品を洗流して冷却若しくは加熱する。このように、全体冷却若しくは全体加熱する場合、庫内下部ファンＦ１を定格回転数となる態様で駆動制御する一方、庫内上部ファンＦ２を駆動停止することにより、上部ダクト部材７ｂを上昇する庫内空気が通気孔７０を介して商品収納庫内側に分流することなく上部ダクト部材７ｂの上端にまで達した後、遮蔽部材２００により前方に案内される循環気流Ｄ，Ｄ１となって商品収納ラック４に収納された全ての領域の商品を販売に適した温度に冷却若しくは加熱することができる。
【００４９】
前述したように、この実施の形態に係る自動販売機によれば、断熱筐体として構築された本体キャビネット１の商品収納庫内に、複数の商品を横倒し姿勢で前後方向に一列に整列して収納する商品収納通路４３を画成する商品収納棚１０が上下方向に複数段配設された商品収納ラック４と前下がりに傾斜した商品搬出シュータ５と前記商品収納通路４３に収納された商品Ｓを販売に適した温度に冷却若しくは加熱する庫内下部ファンＦ１を有する冷却／加熱手段（冷却／加熱ユニット６）とが上下の順に配備され、前記商品収納棚１０は、商品投入口４４となる前方側に対し商品搬出口４５となる後方側が低くなるように傾斜するとともに商品搬出口４５近傍には商品収納通路４３に横倒し姿勢で収納された商品Ｓを一個ずつ切り出して搬出する商品搬出装置ＢＭが設けられ、前記商品収納棚１０の後端と本体キャビネット１の背壁１ｃとの間に上下方向に延在する商品落下通路４６が形成され、前記商品搬出装置ＢＭから搬出された商品Ｓが前記商品落下通路４６を介して商品搬出シュータ５上に送出されてなる自動販売機において、前記商品落下通路４６に本体キャビネット１の背壁１ｃに沿って上下方向に延在する態様で配設され、前記庫内下部ファンＦ１により送風される冷却／加熱手段（冷却／加熱ユニット６）により冷却された冷気若しくは加熱された暖気を上昇させる態様で案内し、その板面の中央領域から下方領域にかけて通気孔７０を有するダクト部材（上部ダクト部材７ｂ）を設け、最上段の商品収納棚１０の後端上方に位置して前記ダクト部材（上部ダクト部材７ｂ）を介して上昇した冷気若しくは暖気を前記商品落下通路４６を介して下方に向けて送風する庫内上部ファンＦ２を設け、全体冷却若しくは全体加熱する際には庫内下部ファンＦ１を定格回転数となる態様で駆動する一方、庫内上部ファンＦ２を駆動停止し、ゾーン冷却若しくはゾーン加熱する際には庫内下部ファンＦ１を定格回転数より低い所定の低速回転数となる態様で駆動する一方、庫内上部ファンＦ２を定格回転数となる態様で駆動することにより、全体冷却若しくは全体加熱する際には定格回転数となる態様で駆動される庫内下部ファンＦ１によりダクト部材（上部ダクト部材７ｂ）内を略直進して上昇した庫内空気が庫内上部ファンＦ２の停止によって商品収納庫内の前方に吹き出されて商品収納ラック４に収納された全ての商品Ｓを温度差なく販売適温に自動的に冷却若しくは加熱し、ゾーン冷却若しくはゾーン加熱する際には定格回転数より低い所定の低速回転数となる態様で駆動される庫内下部ファンＦ１によりダクト部材（上部ダクト部材７ｂ）内を上昇する庫内空気の直進性が失われ、これによりダクト部材（上部ダクト部材７ｂ）内を上昇する庫内空気の一部が当該ダクト部材（上部ダクト部材７ｂ）に穿設した通気孔７０から庫内側に流入して上下方向に複数段配設された商品収納棚１０のうちの中段以下の商品収納棚１０の商品収納通路４３の後端寄りのゾーンに収納された商品Ｓを集中して冷却若しくは加熱する一方、ダクト部材（上部ダクト部材７ｂ）の上端まで上昇した庫内空気が庫内上部ファンＦ２により商品落下通路４６の下方に向けて送風されることにより上下方向に複数段配設された商品収納棚１０のうちの上段側の商品収納棚１０の商品収納通路４３の後端寄りのゾーンに収納された商品Ｓを集中して冷却若しくは加熱し、上段側から下段側の商品収納棚１０の商品収納通路４３の後端寄りのゾーンに収納された商品Ｓを温度差なく販売適温に自動的に集中して冷却若しくは加熱することが可能な自動販売機を提供することができるという効果を奏する。
【００５０】
なお、前述した実施の形態においては、ダクト部材として下部ダクト部材７ａと上部ダクト部材７ｂとを設け、上部ダクト部材７ｂを商品収納ラック４に一体的に取付けた例について説明したが、下部ダクト部材７ａと上部ダクト部材７ｂとに分割することなく下部ダクト部材７ａと上部ダクト部材７ｂとが連続した一つのダクト部材とし、かつ、このダクト部材を本体キャビネット１の背壁１ｃに沿って配設するように構成することができるものであり、実施の形態に限定されるものではない。
【符号の説明】
【００５１】
１…本体キャビネット、４…商品収納ラック、５…商品搬出シュータ、６…冷却／加熱ユニット（冷却／加熱手段）、７ａ…下部ダクト部材、７ｂ…上部ダクト部材、１０…商品収納棚、４２…仕切部材、４３…商品収納通路、４４…商品投入口、４５…商品搬出口、４６…商品落下通路、７０…通気孔、ＢＭ…商品搬出装置、Ｆ１…庫内下部ファン、Ｆ２…庫内上部ファン。
【図１】
2019008621.tif 000003
【図２】
2019008621.tif 000004
【図３】
2019008621.tif 000005
【図４】
2019008621.tif 000006
【図５】
2019008621.tif 000007
【図６】
2019008621.tif 000008
【図７】
2019008621.tif 000009
【図８】
2019008621.tif 000010
【図９】
2019008621.tif 000011
【図１０】
2019008621.tif 000012